(57)【要約】【課題】本発明は、カメラマンが他のカメラや現在放送されている映像等の外部映像を自分のカメラの絵と切り替えでＶＦに表示する際、切り替え遅延を最小にしつつ、切り替えショックの生じることのなく切り替え可能な、操作性の大幅な向上が図れることを特徴とするテレビジョンカメラ装置を提供することを目的とする。【解決手段】本発明は上記の目的を達成するため、選択した送り返し信号のチャネルと、前回選択したチャネルとを監視し、同じ場合は瞬時に自分のカメラの映像と送り返し信号の映像を切り替え、　異なる場合はＣＣＵ内で送り返し信号のチャネルが切り替わるまでカウントしてから切り替えをするようにしたものである。【選択図】　図１
2004128647.tif 000002
【特許請求の範囲】
【請求項１】
カメラヘッドとカメラコントロール部で構成され、前記カメラヘッドからの制御信号で前記カメラコントロール部に入力された複数の外部入力映像信号から１つを選択し前記カメラヘッドに送り返す手段と、前記送り返し信号と前記カメラヘッドの映像信号出力のうちいずれか一方を選択してビューファインダに出力する出力選択手段とを有するテレビジョンカメラシステムにおいて、前記制御信号により、前記送り返し手段へ前記外部入力映像信号を変更する制御がされる場合に、前記出力選択手段の前記送り返し信号の出力タイミングを所定期間遅延させる制御手段を有することを特徴とするテレビジョンカメラ装置。
【発明の詳細な説明】
【０００１】
【発明の属する技術分野】
本発明は、カメラヘッドとカメラコントロール部（以下ＣＣＵ）が分離する構成をもち、カメラコントロール部に入力された外部機器からの複数の映像信号を、カメラヘッドのビューファインダ（以下ＶＦ）で選択監視可能なテレビジョンカメラに関する。
【０００２】
【従来の技術】
図４に放送用テレビジョンカメラの一例を示す。
【０００３】
スタジオ等で用いられる放送用テレビジョンカメラは一般的にカメラヘッド２４とＣＣＵ３３が分離した形が一般的である。
【０００４】
放送用テレビジョンカメラは、カメラマンが他のカメラや現在放送されている映像等を把握するため、自分の撮像する映像と前記他のカメラ等の映像を切り替えてＶＦに表示できる機能が必要である。カメラマンは前述の機能を用い、ＣＣＵからの送り返し信号であるリターン映像信号と自分の撮像する映像信号を頻繁に切り替えて監視している。
【０００５】
通常、カメラマンはこのリターン映像信号として、複数の種類の外部映像信号を選択して監視している。このため、一般に放送用等の高級カメラ装置には、ＣＣＵに複数の外部映像入力端子を有し、カメラヘッド側からのカメラマンの要求により、この外部映像信号を選択し、カメラヘッドに送り返す機能を有している。
【０００６】
図４に示す放送用テレビジョンカメラの一例の構成図を用いて具体的に説明する。
【０００７】
２４はカメラヘッド、３３はＣＣＵ、２５はＣＣＤ、２６はカメラヘッド２４の映像信号処理部、２７はカメラヘッド２４の本線／送り返し信号と、ＣＣＵ３３に入力されるの複数の外部映像信号を選択するリターンスイッチ、２８は本線／送り返し信号切り替えスイッチ、２９はＶＦ、３０は映像信号や制御信号を伝送する伝送用ケーブル、３１はＣＣＵ３３の映像信号処理部、３２はＣＣＵ３３の送り返し信号選択スイッチである。
【０００８】
ＣＣＤ２５で被写体が光電変換され得られた映像信号は、映像信号処理部２６で所定の信号処理が施される。前記映像信号は伝送用ケーブル３０を介して、ＣＣＵ３３に伝送される（本線出力）。
【０００９】
一方映像信号処理部２６からの映像信号は、本線／送り返し信号切り替えスイッチ２８を介して本線出力ＶＦ２９にも表示される。
【００１０】
またリターンスイッチ２７を押すと、本線／送り返し信号切り替えスイッチ２８が制御されリターン側に切り替わり、ＣＣＵ３３では送り返し信号切り替え器３２が制御され、ＲＥＴ＿１入力、ＲＥＴ＿２入力、ＲＥＴ＿３入力のいずれかが選択されカメラヘッド２４に送られることでＶＦ２９に表示される。（リターン映像信号）
上述したように、カメラマンは頻繁にリターン映像信号と自分のカメラ映像信号を切り替えて監視するので、この切り替えはできる限り少ない遅延で行うことが望ましい。しかし、通常のカメラ装置ではリターン映像信号と自分のカメラ映像信号の切り替えはカメラヘッドで行われ、リターン信号のチャネル切り替えはＣＣＵで行われる。したがって、カメラヘッド側からの制御で行われるこの２つの映像信号切り替えは、どうしてもＣＣＵ側が遅くなる。このため従来のカメラ装置では、例えばカメラマンが最初にＡチャネルのリターン映像信号を見た後、一旦自分のカメラ映像信号を見、その後Ｂチャネルのリターン映像信号を見ようとした場合、カメラヘッドでの信号切り替えを、早くしすぎると、ＣＣＵでのチャネル切り替えが追いつかず、一旦Ａチャネルの信号が表示された後、Ｂチャネルの映像信号が見えるという現象が起きる（図５参照）。また、これを避けようとすると、カメラヘッドで行われるリターン信号の切り替えを遅くする必要があり、どちらも使い勝手を悪くしていた。
【００１１】
【発明が解決しようとする課題】
本発明はカメラヘッドとＣＣＵで構成されるテレビジョンカメラシステムにおいて、カメラマンが他のカメラや現在放送されている映像信号等の外部映像信号を自分のカメラの映像と切り替えてＶＦに表示する際、切り替え遅延を最小にしつつ、他チャネル映像信号の一瞬表示を防止することを目的とする。
【００１２】
【課題を解決するための手段】
本発明は上記の目的を達成するため、カメラヘッドとカメラコントロール部で構成され、前記カメラヘッドからの制御信号で、前記カメラコントロール部に入力された複数の外部入力映像信号から１つを選択し前記カメラヘッドに送り返す手段と、前記送り返し信号と、前記カメラヘッドからの映像信号出力のうちいずれか一方を選択しビューファインダに出力する手段とを有するテレビジョンカメラシステムにおいて、前記制御信号により、前記送り返し手段へ前記外部入力映像信号を変更する制御がされる場合に、前記出力手段の前記送り返し信号の出力タイミングを所定期間遅延させる手段を有するものである。
【００１３】
以前に選択したリターン信号のチャネルを、記憶しておき、記憶した前チャネルと選択したチャネルと比較し、同じチャネルの場合は瞬時に本線信号からリターン信号に切り替え、異なるチャネルの場合は前選択したチャネルの映像信号が一瞬表示を避ける時間分カウントし、遅延させてから、本線からリターン信号に切り替える手段を具備することを特長とする。
【００１４】
【発明の実施の形態】
図１は本発明の第一の実施例を示す、テレビジョンカメラ装置の一実施例の構成図である。以下、その具体的な動作を詳しく説明する。
【００１５】
１はカメラヘッド、２はＣＣＤ、３はＡ／Ｄ変換器、４はディジタル信号処理部、５はＤ／Ａ変換器、６はカメラヘッド１の本線／送り返し信号と、ＣＣＵ１７に入力されるの複数の外部映像信号を選択するリターンスイッチ、７はカメラヘッド１の本線／リターン切り替え制御装置、８は本線／送り返し信号切り替えスイッチ、９はＶＦ、１０はＤ／Ａ変換器、１１はＤＡＴＡ＿ＭＩＸ回路、１２は伝送ケーブル、１３はＣＣＵ、１４はＣＰＵデータ分離回路、１５は送り返し信号選択スイッチ、１６はＣＰＵである。
【００１６】
まずカメラヘッド１の映像信号出力（本線出力）について説明する。
ＣＣＤ２で被写体が光電変換され得られたアナログ映像信号は、Ａ／Ｄ変換器３でディジタル映像信号へ変換される。
【００１７】
前記ディジタル映像信号は、ディジタル信号処理部４で所定の信号処理が施される。
【００１８】
前記処理されたディジタル映像信号は、ＣＣＵ１３側に伝送され出力される信号と、ＶＦ９に表示するための信号に分かれる。
【００１９】
ＣＣＵ１３に伝送される信号は本線／リターン切り替え制御装置７から出力される、リターン信号のチャネル選択等の情報であるＣＰＵ信号をＤＡＴＡ＿ＭＩＸ回路１１で前記処理されたディジタル映像信号に付加し、ＣＣＵ１３に伝送され、ＣＣＵ１３にて本線の映像信号映像信号を出力する。
【００２０】
また、ＶＦ９に表示するための信号は、前記処理されたディジタル映像信号をＤ／Ａ変換器５でアナログ映像信号に変換し、本線／送り返し信号切り替えスイッチ８を通り、ＶＦ９に表示される。
【００２１】
ＣＣＵ１３から出力される送り返し信号は、カメラヘッド１から伝送されたディジタル映像信号に付加された送り返し信号のチャネル情報を含んだＣＰＵ信号をＣＰＵデータ分離回路１４によって分離し、ＣＰＵ１６がその情報によって、送り返し信号選択スイッチ１５を動作させることで、外部から入力されるＲＥＴ＿Ａ入力、ＲＥＴ＿Ｂ入力、ＲＥＴ＿Ｃ入力のいずれかが選択される。
【００２２】
前記選択されたディジタル映像信号は、ＣＣＵからケーブル１２を介してカメラヘッド１に伝送される。この映像信号はＤ／Ａ変換器１０でアナログ映像信号に変換され、本線／送り返し信号切り替えスイッチ８を介して、送り返し映像信号がＶＦ９に表示される。
【００２３】
ここで本線／リターン信号切り替えスイッチ８の切り替え動作について図２を用いて詳細に説明する。
【００２４】
従来の技術で述べたように送り返し信号の切り替えはＣＣＵ１３側で行われ、本線映像信号とリターン映像信号の切り替えはカメラヘッド１側で行われる。これらの切り替え制御はカメラヘッド１側からの制御で行われるため、ＣＣＵ１３側での送り返し信号チャネル切り替えは遅くなる。
【００２５】
このため、前回選択したチャネルと異なるリターン信号を選択した場合、前回選択したリターン映像信号の一瞬表示を避けるために、カメラヘッド１側でのリターン映像信号と本線映像信号との切り替えを遅らせるようにする。
【００２６】
図２はリターンスイッチ６を押した際、切り替え情報が本線／送り返し信号切り替えスイッチ８に到達するまでの信号の流れを示したブロック図である。
【００２７】
リターンスイッチ６を押すと、メモリ等の記憶装置２０の選択チャネル情報記憶部１８に選択チャネル情報１８’が記憶される。また前選択チャネル記憶部１９には、前回選択した前選択チャネル情報１９’が記憶されている。前選択チャネル記憶部１９には選択チャネル情報記憶部１８の情報と異なる場合のみ、選択チャネル情報記憶部１８の情報が更新記憶される。
【００２８】
チャネル比較装置２１は、選択チャネル情報１８’と前選択チャネル情報１９’の情報を比較し、チャネル情報が一致する場合は、本線／リターン切り替え制御回路２３から本線／送り返し信号切り替えスイッチ８への切り替え信号を出力し、本線から送り返し信号に切り替わり、送り返し映像信号が出力される。またチャネル情報が異なる場合は、前回選んだリターン信号の一瞬表示を避けることが可能な時間だけ、切り替えを遅延させるため本線／リターン切り替え制御回路２３からカウンタ２２へ切り替え情報を出力する。カウンタ２２で所定期間遅延後、本線／送り返し信号切り替えスイッチ８へ切り替え信号を出力し本線信号からリターン信号に切り替わる。
【００２９】
以上の信号の流れを図３の時間関係を示した図を用いて説明する。
図３（Ａ）は前回表示された送り返し信号と同じチャネルを選択した場合で、（Ｂ）は異なるチャネルの送り返し信号を選択した場合の時間関係を示した図である。
【００３０】
図３（Ａ）において、同じチャンネルを選択し、時間▲１▼でリターンスイッチ６をＯＮにすると、時間▲２▼で本線／送り返し信号切り替えスイッチ８が送り返し信号側に切り替わり、ＶＦ９に前回選択したチャネルの送り返し信号が表示される。時間▲３▼でカメラヘッド１から伝送された送り返し信号のチャネル情報によって、ＣＣＵ１３内の送り返し信号選択スイッチ１５は再び前回と同じチャネルを選択するので、切り替えショックは生じない。また、瞬時に本線信号から、送り返し信号をＶＦ９に表示することが可能となる。
【００３１】
また、図３（Ｂ）において、異なるチャネルを選択し、時間▲１▼でリターンスイッチ６をＯＮにすると、ＣＣＵ１３内の送り返し信号選択スイッチ１５に送り返し信号のチャネル情報が伝達され、同時にカメラヘッド１のカウンタ２２で本線信号から折り返し信号に切り替わるまでの時間、カウントされ、本線／送り返し信号切り替えの遅延が行われる。
【００３２】
時間▲５▼で送り返し信号をチャネル＿Ａからチャネル＿Ｂに切り替えることで、送り返し信号はチャネル＿Ｂから入力された信号がＣＣＵ１３からカメラヘッド１（ＨＥＡＤ）へ送り返される。ここで、前チャネルの送り返し信号が一瞬表示されることを避けることが可能な時間▲６▼に、ＨＥＡＤ側の本線／送り返し信号切り替えスイッチ８を切り替えることで、チャネル＿Ｂの送り返し信号がＶＦ９に表示される。
【００３３】
このようにすることにより、前選択チャネルの送り返し信号が一瞬表示されることなしに、ＶＦ９に表示することが可能となる。
【００３４】
以上述べた如く本発明を用いれば、前選択チャネルと同じチャネルを選択したときは、本線から送り返し信号に瞬時に切り替え、異なる信号を選択したときは、前選択チャネルの送り返し信号を一瞬表示することなしに、本線映像信号とリターン映像信号を切り替えることが可能となり、本線映像信号とリターン映像信号とを切り替えてもショックの生じない、操作性の優れたテレビジョンシステムを提供できる。
【００３５】
【発明の効果】
本発明を用いると、簡単な構成で、カメラマンが他のカメラや現在放送されている映像等の外部映像（送り返し映像）を自分のカメラの絵と切り替えでＶＦに表示する際、ＶＦにショックや映像乱れが生じることがなくなる。
【００３６】
以上述べた如く、本発明を用いれば、従来に比べて、本線映像とリターン映像信号を切り替えた際、切り替え遅延を最小限にしつつ、切り替えショックの生じることのないテレビジョンカメラ装置を実現でき、操作性の大幅向上が図れる。
【図面の簡単な説明】
【図１】本発明の第１実施例の構成を示すブロック図。
【図２】本発明の本線／送り返し信号切り替え制御を示したブロック図
【図３】本発明の各入出力映像信号の位相及び信号内容を説明する図
【図４】従来のカメラシステムの構成を説明する図
【図５】従来技術を用いた際の、本線信号とリターン信号のＶＦ上での表示を説明する図
【図６】本発明を用いた際の、本線信号とリターン信号のＶＦ上での表示を説明する図
【符号の説明】
１．　カメラヘッド、２．ＣＣＤ、３．Ａ／Ｄ変換器、４．ディジタル信号処理部
５．Ｄ／Ａ変換器、６．リターンスイッチ、７．本線／リターン切り替え制御装置
８．本線／送り返し信号切り替えスイッチ、９．ＶＦ、１０．Ｄ／Ａ変換器
１１．ＤＡＴＡ＿ＭＩＸ回路、１２．伝送ケーブル、１３．ＣＣＵ、１４、ＣＰＵデータ分離回路、１５、送り返し信号選択スイッチ、１６．ＣＰＵ
１８．選択チャネル情報記憶部、１９．前選択チャネル情報記憶部、２０．記憶装置、２１．チャネル比較装置、２２．切り替え遅延用カウンタ、２３．本線／リターン切り替え制御回路、２４．カメラヘッド、２５．ＣＣＤ、２６．映像信号処理部
２７．リターンスイッチ、２８．本線／リターン切り替えスイッチ、２９．ＶＦ３０．伝送用ケーブル、３１．映像信号処理部、３２．送り返し信号選択スイッチ
３３．ＣＣＵ
【図１】
2004128647.tif 000003
【図２】
2004128647.tif 000004
【図３】
2004128647.tif 000005
【図４】
2004128647.tif 000006
【図５】
2004128647.tif 000007
【図６】
2004128647.tif 000008